(57)【要約】【課題】現在ウェブログあるいは単にブログと呼ばれる日記形式のホームページは誰でも簡単に写真や文章を載せることができる。しかし高画質な画像や動画等は容量制限があり登録が困難である。  また数式や飾り文字などＨＴＭＬでは表現できない部分を含む文章をブログに登録するのも容易ではない。  本発明はこのような問題を解決することが主な課題である。【解決手段】  本発明では文書作成プログラムで画像や動画を含むブログ掲載用文書を作成したならば、その画像や動画をあらかじめ指定されたデータサーバーに自動的に転送し、そこをハイパーリンクで参照するＨＴＭＬ文書を生成し、それをブログに登録できるようにし、利用者には煩雑な作業を不要とした。  また数式等を含む文書では数式部分をあらかじめ画像化してから前記手順を実行することにより容易にブログに登録できるようにした。【選択図】図１
2007328750.tif 000002
【特許請求の範囲】
【請求項１】
インターネットに接続されたパーソナルコンピュータ等の端末において文章を作成し、また画像を文書中に取り込んで表示し、また画像、動画、音声、音楽などのデジタルデータを文章の中の特定部位と関連付けることのできる複合文書作成プログラムにおいて、文書中に表示した画像や文書中の特定部位と関連付けした前記デジタルデータをあらかじめ指定されているインターネット上のデータサーバーあるいは当該端末が接続されるローカルエリアネットに接続するデータサーバーに転送する段階を有し、その際前記データサーバーに転送したデジタルデータをインターネット経由で端末に転送させるためのＵＲＬというアドレスを文章中で当該デジタルデータと関連付けして保持し、さらに前記文書をインターネットで公開できるＨＴＭＬ等の規格で決められた形式のＨＴＭＬ文書に変換し、その際文書中に表示した画像や文書の特定部位と関連付けされたデジタルデータは前記データサーバーからそのＵＲＬを用いてＨＴＭＬで規定されるところのハイパーリンクにより直接参照する形式とする段階を有し、そのＨＴＭＬ文書を当該端末上で並行動作している他のプログラムが読み取ることができるクリップボードという記憶域に書き込む段階を有し、前記クリップボードに書き込まれた前記ＨＴＭＬ文書を前記複合文書作成プログラムと並行動作しているインターネットのブラウザーに表示されたブログ登録画面に貼り付けることによってブログに登録する段階を有することを特徴とする複合文書作成方法およびブログへの登録方法。
【請求項２】
あらかじめ端末に利用者ＩＤを入力する段階と、前記データサーバーに前記デジタルデータを転送する際、まず利用者管理情報を記憶しているインターネット上に接続された管理サーバーに利用者の識別ＩＤを転送して前記デジタルデータを前記データサーバーに転送することの許可を得る段階を備えることを特徴とする請求項１で記載した複合文書作成方法およびブログへの登録方法。
【請求項３】
前記管理サーバーにおいて利用者を一定数毎にグループ分けし、各グループ毎に異なるデータサーバーを割り振っておき、端末より利用者の識別ＩＤが転送されてきた場合、前記割り振りされたデータサーバーのアドレス及びパスワード等の情報を端末に返送する段階を有することを特徴とする請求項１、請求項２で記載した複合文書作成方法およびブログへの登録方法。
【請求項４】
前記複合文書作成プログラムにおいて、作成した文書が数式や変形文字などＨＴＭＬ文書では表現できない部分を含む場合、その部分をインターネットに公開できるＪＰＥＧやＧＩＦなどの画像形式に変換する段階を有することを特徴とする請求項１、請求項２、請求項３で記載した複合文書作成方法およびブログへの登録方法。
【請求項５】
前記管理サーバーに対し、前記動画等のデジタルデータを前記データサーバーに転送するための許可やそのアドレスおよびパスワード等を問い合わせた状態で、当該管理サーバーからの応答が一定時間ない場合、代替の管理サーバーからその許可やアドレス等を問い合わせる段階を備えることを特徴とする請求項１、請求項２、請求項３、請求項４で記載した複合文書作成方法およびブログへの登録方法。
【請求項６】
前記動画等のデジタルデータを前記データサーバーに転送する際、そのデジタルデータを転送先サーバーと関連付けて当該端末の外部記憶装置に記憶する段階を備え、前記データサーバーに障害が発生し、そのサーバーに蓄積したデジタルデータが紛失した際には、そのサーバー復旧後に当該端末の外部記憶装置に記憶した前記障害サーバーと関連付けされた前記デジタルデータをそのサーバーに転送する段階を備えることを特徴とする請求項１、請求項２、請求項３、請求項４、請求項５で記載した複合文書作成方法およびブログへの登録方法。
【発明の詳細な説明】
【発明の詳細な説明】
【技術分野】
【０００１】  本発明はインターネットに接続されたパーソナルコンピュータから画像や動画等からなる複合文書を簡便にブログに登録するための方法に関する。
【従来技術】
【０００２】  １．画像や動画や音声および音楽などのデジタルデータをサーバーに転送する段階と文字だけからなる文書やＨＴＭＬ形式の文書をサーバーに転送する段階とからなるブログへのホームページ公開方法は知られている。
２．また文章や画像からなる文書や文書の特定部位が動画などのデジタルデータと関連付けされた文書をインターネットに公開できるＨＴＭＬ形式等の文書に変換し、そのデジタルデータおよびＨＴＭＬ文書をインターネットに接続されたサーバーに転送し、ホームページとして公開することができるプログラムは知られている。
３．各家庭にホームサーバーを設置し、そこからブログをインターネットに発信する手段は知られている。
【発明の解決しようとする課題】
【０００３】  まず始めにブログに文字や画像からなる文書をブログとして登録する従来方法は、インターネットに接続したブログのサーバーに画像を転送する段階と、文章記入画面へ直接文字入力する段階からなり、ブログサーバーは転送された画像と文章を合体させてホームページとして表示することができる。またブログの一種にモブログと言う、形態電話からインターネット経由で送られる文章および写真あるいは動画をホームページとして公開するサービスもある。
これらは従来のホームページによる情報の発信に比べ、その使いやすさから利用者を急激に伸ばしており、史上もっとも強力な個人情報発信システムと言われている。
しかしながらブログサーバーへ転送できるひとつの画像や動画のサイズにはかなり厳しい制限がある。あまりに急激にブログやモブログの利用者が増えたことも転送できる画像等のサイズに制限を加えざるを得ない理由と思われる。現状ではブログサーバーに送ることができる一枚の画像サイズは多くても数百キロバイト程度であり、動画や音声および音楽などのデジタルデータにおいては低品質の画質のものが数分程度のものしか転送できない。
この制限はサーバーの限られた資源を皆に平等に提供するためには必要なものとも言えるが、一部の利用者にとっては厳しすぎる制限でありこのサイズ制限を撤廃することがひとつの課題である。
また多くのブログサーバーで日記を閲覧する時の応答時間が長くなっている。これは単にサーバー側の性能や容量に問題があるとばかりは言えない。本質的には多数の利用者が特定のブログサーバーに集中するのが応答時間の遅れの根本原因といえる。このような負荷集中の問題の解決も本発明の課題である。
次に文章の特定部位と動画や音声、音楽などのデジタルデータとを関連付けするということが通常のホームページでは許されるが、この機能は例えば「この様子は動画で見ることができます。ここをクリックして下さい」という文章をホームページで表示して、「ここをクリックして下さい」の「ここ」という文字をマウスでクリックすることにより動画を表示するようにできる。これと同じことを現状のブログで行うには、まずインターネットに接続された特定のサーバーにデジタルデータを転送し、次にブログ登録画面で文章を登録し、その文章の特定部位と前記特定のサーバーに転送したデジタルデータとをＨＴＭＬの文法に従ってＵＲＬというインターネット上のアドレスで関連付けすることが必要である。
このように従来の方法で文章や画像およびそれらと関連付けされた前記デジタルデータをブログに公開するためにはインターネットでの文書記述規約であるＨＴＭＬの知識が必要で、ＨＴＭＬ文法に従ってＵＲＬを直接指定しなければならない。
一般のブログ利用者はこのようなＨＴＭＬの規約やＵＲＬというネットワークに関する知識を持ち合わせていないのが通常であり、多くの普通のブログ利用者が前記デジタルデータをブログに公開するのは困難である。
次に従来、ＨＴＭＬの文法を知らなくてもホームページを作成できるプログラムが一般に普及している。このプログラムを使えばＨＴＭＬの文法を知らなくてもホームページとして公開するための文字や画像からなる文章を作成でき、また文章の特定部位と画像、動画、音声，音楽などのデジタルデータの関連付けを行うことができ、さらにそれをＨＴＭＬの文法で表現されたＨＴＭＬ文書とすることができる。
しかしながら前記ＨＴＭＬ文書をブログに登録する場合、あらかじめＨＴＭＬ文書で参照している前記デジタルデータについては別途サーバーに転送し、前記ＨＴＭＬ文書で参照しているデジタルデータとの関連付けをその転送したサーバーのＵＲＬというインターネットで参照可能なアドレスに変換する必要がある。しかるのち前記ＨＴＭＬ文書をブログ登録画面を表示しているブラウザーなど他のプログラムが読み取ることができるクリップボードという記憶域にコピーし、そこから前記ブラウザーが表示しているブログ登録画面に貼り付けてはじめてブログに登録できる。  この作業はＨＴＭＬの文法を利用者が知らなければならないし、操作も極めて煩雑である。
ブログの利用者が前記ＨＴＭＬやＵＲＬというインターネット上のアドレスに関する知識がなくても、文字および画像からなる文章においてその特定部位が前記デジタルデータと関連付けられた複合文書をブログに登録できる手段を提供することも本発明の課題の一つである。
次に、最近の文書作成プログラムにおいては数式を記述したり、文字を様々な形に変形して表示することもできる。現状ではこれら数式などが記述された文章をそのまま表示できるようにブログに登録する簡便な方法は見当たらない。
【課題を解決するための手段】
【０００４】  上述した問題を解決するために、請求項１に記載した発明においては、インターネットに接続する端末に表示されている文書中の画像や文書中の特定部位と関連付けされた画像、動画、音声、音楽などのデジタルデータをインターネットに接続しているブログサーバーとは異なるやはりインターネットに接続されるサーバーや、端末が接続されているローカルエリアネットワークに接続したサーバーに転送する段階を持たせる。
さらに作成した文書をＨＴＭＬに変換する際、前記デジタルデータの参照は、前記サーバーに転送したデジタルデータを呼び出すためのＵＲＬというアドレスを用いて記述する。そしてそのＨＴＭＬに変換された文書を当該端末上で並行動作している他のプログラムが読み取ることができるクリップボードという記憶域に書き込む段階を持たせる。
クリップボードに書き込まれたＨＴＭＬ文書は簡単な操作でブラウザで表示されているブログ登録画面に貼り付けることができ、それをブログサーバーに転送することによってブログとしてインターネットで公開できる。
請求項２に記載の発明においては、あらかじめ端末に利用者識別ＩＤを入力する段階と、識別ＩＤ並びにパスワードをインターネット上に接続された管理サーバーに転送して前記データサーバーに前記デジタルデータを転送する許可およびそのアドレスを得る段階とを持たせる。
請求項３に記載した発明においては、上述したブログサーバーなどに負荷が集中するという問題を解決するため、前記管理サーバーにおいて利用者を一定数毎にグループ分けし、各グループ毎に異なるデータサーバーを割り振っておき、端末より利用者の識別ＩＤが転送されてきた場合、前記割り振りされたデータサーバーのアドレス及びパスワード等の情報を端末に返送する段階を持たせた。
請求項４に記載した発明においては、文書中の数式や変形文字を含む領域をＪＥＰＧ、ＧＩＦなどのインターネットで公開できる画像形式に変換する段階を待たせた。
請求項５に記載の発明においては、端末において請求項２等に記載の管理サーバーからの応答が一定時間無かった場合、代替の管理サーバーに対して端末利用者の識別ＩＤ及びパスワードを転送して前記データサーバーに前記デジタルデータを転送する許可やデータサーバーのアドレス等を得る段階を持たせた。
請求項６に記載の発明においては、端末において前記あるデータサーバーに転送したデジタルデータはその転送したデータサーバーと関連付けして当該端末の外部記憶装置に記憶しておき、前記データサーバーに障害が発生して端末から転送した前記デジタルデータが消滅した場合、前記端末の外部記憶装置に記憶しておいたデジタルデータを、データサーバーが復旧した後に再送する段階を持たせた。
【発明の効果】
【０００５】  請求項１および請求項２および請求項３に記載した発明によれば、端末にて画像やデジタルデータと関連付けされた文書を作成し、それをブログあるいはウェブログに日記等を登録する際に、文書中の画像や文書中の特定部位とハイパーリンクによって関連付けされた動画、音声、音楽などのデジタルデータは、ブログサーバーとは別のインターネットや当該端末の接続するＬＡＮに接続しているデータサーバーに直接転送しておけばよく、ブログに登録するのは文字およびデータサーバーへのハイパーリンク等からなるＨＴＭＬタグの部分だけを転送すればよく、ブログサーバーの通信負荷は大幅に軽減される。ここでデータサーバーは、簡単に借りることができるレンタルサーバーを用いてもよく、１００メガバイト程度ならば無料で、また数ギガバイト程度であれば一ヶ月あたり２〜３千円で借りることができる。
また現在家庭のパソコンはほとんどが家庭内ＬＡＮに接続し、インターネットとは経路制御装置および電話回線あるいは光回線を経由して接続している。さらに家庭内のＬＡＮに自前のサーバーを接続し、そこからインターネットにホームページを公開する技術も確立している。これはホームサーバーと呼ばれ、その利用者も増えつつある。そこでホームサーバーを請求項１および請求項２等に示したデータサーバーとして用いれば画像や動画等のデジタルデータ分散型システムとなり、ブログ利用者とブログサーバーとの間で画像や動画等の大量データーをやりとりすることを不要とできる。
ホームサーバーは電話回線や大衆向け光回線でインターネットと接続されているため画像や動画等の大量データーを公開するには必ずしも向かないのではという懸念もある。しかし、通常ブログサーバーに登録された個人の日記などは、特別なタレントなどの日記を別にすれば一日で多くても数百件程度であり、ホームサーバーをデータサーバーとして用いても十分耐えうる。
なお前記ホームサーバーで利用できるブログ公開用のサーバープログラムがあり、これを利用すれば特定の人気のあるブログサーバーへの負荷の集中を排除できる。しかし、人気のあるブログサーバーに日記等を載せれば、より多くの人に見てもらえるというメリットがあるので、請求項１および請求項２および請求項３に記載した発明では日記自体は特定の人気のあるブログサーバーに載せ、画像や動画等のデジタルデータはホームサーバーなど、ブログサーバーとは別のデータサーバーのものを利用することにより、ブログサーバーの通信負荷の大半を占める前記デジタルデータの通信負荷を分散させることができる。
さらに端末利用者にとっては、利用者自身による文書中の画像や文書中の特定部位とハイパーリンクによって関連付けされた画像、動画、音声、音楽などのデジタルデータをサーバーに転送する操作やサーバーに転送したデジタルデータを参照するためのハイパーリンクタグを作成する操作が不必要となり、通常のワープロによる文書作成と同等の操作で文書の特定部分が前記デジタルデータと関連付けされた文書をブログに登録できる。
また請求項２に記載した発明によれば、データサーバーの利用を登録した利用者に限定でき、プログラムを不正に複写して利用されることによる負荷の増大や応答性の劣化を防止できる。
請求項４に記載した発明によれば、文書中に数式や変形文字などインターネットに公開できない部分があってもその部分を画像に変換する段階を持たせたので、その画像付文書を請求項１の発明によって、画像部分はデータサーバーに送られ、ＨＴＭＬタグに変換された文書をブログに登録できる。
請求項５に記載した発明によれば、管理サーバーが障害となった場合でも代替管理サーバーによって運用を継続できる。
請求項６に記載した発明によれば、データサーバーの障害で転送しておいたデジタルデータが消滅した場合でも、各端末の外部記憶装置に記憶してあるデジタルデータを障害復旧後に再送することによって消滅したデータサーバーのデジタルデータを回復できる。
【発明を実施するための最良の形態】
【実施例】
【０００６】  本発明の一実施例について図面を参照して説明する。
図１は本実施形態の端末の構成を示すブロック図である。
本発明の１実施形態を図面を用いて説明する。
図１は本発明に係わるネットワーク構成図である。
符号１００、２００、‥はパーソナルコンピュータ等の端末であり、電話回線あるいは光回線を経由してインターネットＮＥＴに接続されている。
符号１０、１１は利用者管理用のサーバー、すなわち管理サーバーであり、電話回線あるいは光回線を経由してインターネットＮＥＴに接続されている。
符号２０、２１、‥はデーター保存用のサーバー、すなわちデータサーバーであり、電話回線あるいは光回線を経由してインターネットＮＥＴに接続されている。
符号３０はブログあるいはウェブログのサービスを提供するブログサーバーで、電話回線あるいは光回線を経由してインターネットＮＥＴに接続されている。
図２は図１で示した端末、および各種サーバーのインターネットへの別の接続方法を示している。
すなわち符号１００は端末であり、ＬＡＮ、経路制御装置、そして電話回線あるいは光回線を経由してインターネットＮＥＴに接続されている。
符号１０１も端末であり、やはりＬＡＮ、経路制御装置、そして電話回線あるいは光回線を経由してインターネットＮＥＴに接続されている。
符号１０、２０はサーバーであり、ＬＡＮ、経路制御装置、そして電話回線あるいは光回線を経由してインターネットＮＥＴに接続されている。
ここで端末１０１とデータサーバー２０は同一のＬＡＮに接続している。このように本発明では同一のＬＡＮに各種のサーバーが接続され、経路制御装置を経由してインターネットに接続するという構成をとる場合もある。
このように図２では端末や各種サーバーがＬＡＮ、経路制御装置、そして電話回線あるいは光回線を経由してインターネットＮＥＴに接続され、また同一のＬＡＮに端末とサーバーが接続している場合もある。しかし本発明ではこのような構成であっても端末やサーバーが基本ソフトウェアーとしてＷｉｎｄｏｗｓやＵｎｉｘおよびＫｉｎｕｘを用い、その元で本発明を実施する場合には、図２のような構成も図１で示した構成とみなして実施できる。
図３は端末１００の構成を示すブロック図である。
この図において、符号１０１は制御手段であり、ＣＰＵ等から構成され、各部の制御や、データーの転送、種々の演算、データーの一時的な格納等を行なう。
符号１００２は入力制御手段であり、インターネットＮＥＴを介して接続されたサーバーから入力されるデーターを制御する。
符号１００３は出力制御手段であり、サーバーに転送するデーターを制御する。
符号１００４はクリップボードであり、制御手段１００１から本端末内で並行動作しているインターネットイクスプローラーなどのブラウザに文書やＨＴＭＬタグを受け渡すための一時記憶手段である。
符号１００５は記憶手段であり、メインプログラムを記憶している。このメインプログラムは制御手段１００１で用いられるものであり、たとえば文書を作成したり、文書に画像を表示させたり、文書の特定部分と動画などの各種デジタルデータの関連付けを行なったり、デジタルデータを出力制御手段１００３を介してサーバーに転送したり、入力制御手段を介してサーバーからデーターを受け取るなどを行なう。
符号１００６は記憶手段であり、文書に表示した画像や、文書の特定部分と関連付けされた動画などの各種デジタルデータが保存されている。【０００７】  次に本実施形態の基本動作について説明する。
ここでは便宜上、端末１００が管理サーバー１０、ブログサーバー３０と接続し、データサーバー２０、２１、‥‥がインターネットＮＥＴと接続しているとして以下説明する。
端末ではあらかじめインターネットイクスプローラー等のブラウザー１００７を用いてブログサーバー３０に接続し、ブログ登録画面を表示しておくものとする。この状態で利用者はまずマウスなどを用いて制御手段１００１に対し、記憶手段１００５からメインプログラムを起動するよう指示する。
次に利用者は起動したメインプログラムにしたがって動作する制御手段１００１を用いて、ブログ登録用文書を作成する。
このとき制御手段１００１を用いて文書の一部と記憶手段１００６に保存されている動画や音声などのファイルとの関連付けなどを行って、ブログ登録用文書を作成する。
ここで具体的に前記関連付けの手順を示す。
まず、作成した文書の一部の文字をマウス等で反転表示させて選択し、その選択状態を保持したまま、記憶手段１００６に保存されている動画や音声などのファイルの一覧表を表示し、関連付けしたいファイルをマウス等で選択して行う。この選択された文書の一部の文字と選択された記憶手段１００６に保存されている動画や音声との対応は図４に示すような表で対応関係を記憶しておく。
次に、前記ブログ登録用文書の作成を終了したならば、端末利用者は制御手段１００１に対しブログ登録用タグの作成を指示する。この指示を契機に制御手段１００１は以下の操作を行う。
まず、制御手段１００１は出力制御手段１００３を通して管理サーバー１０に利用者ＩＤ、端末Ｎｏを転送し、利用許可を求める。
次に入力制御手段１００２を通して管理サーバー１０から利用許可が得られたならば、動画や音声などのデジタルデータをデータサーバーに転送するのに必要なアドレスやパスワードなどの情報を管理サーバー１０に要求する。
このとき管理サーバー１０では負荷分散のために図５に示すテーブルに従って、要求元端末Ｎｏに対応するデータサーバーのアドレス、パスワード等を応答する。
次に制御手段１００１は入力制御手段１００２を通して管理サーバー１０からデータサーバーにデジタルデータを転送するのに必要な情報が得られたならば、文書中に表示されている画像、ならびに図４に示すような表で文書の特定部分に関連付けされたデジタルデータを管理サーバー１０から指定されたデータサーバーに転送する。
次に前記データサーバーに転送したデジタルデータと転送先データサーバーのＵＲＬとは図６に示すように関連付けして記憶手段１００６に保存する。
次に制御手段１００１は表示中の文書をＨＴＭＬ形式の文書に変換する。なおその際、画像や動画等は図７に示すようにデータサーバーに転送する前は記憶手段１００６に保存したデジタルデータを参照する形式からデータサーバーのＵＲＬを用いたハイパーリンクタグで参照する形式に変換する。
次に制御手段１００１は前記ＨＴＭＬ形式に変換された文書をクリップボード１００４にセットする。
なお、データサーバー２０が利用者独自に借りたレンタルサーバーであったり利用者が自身で用意したホームサーバーの場合、上記管理サーバーにデータサーバーのアドレス等を問い合わせる操作は省いてもよい。
次に端末利用者は、あらかじめ起動しておいたブラウザー１００７のブログ登録領域にクリップボード１００４に記憶したＨＴＭＬ形式の文書を貼り付け、そのほかタイトル等を記入してブログサーバーに転送する。
以上により前記文書の特定部分が画像、ならびに動画や音声などのデジタルデータと関連付けされた文書がブログに登録され、公開できるようになる。【０００８】  次に本実施形態において文章に例えば数式など、ＨＴＭＬ形式では表示できない部分があった場合の動作を以下説明する。
まず制御手段１００１は数式など、ＨＴＭＬでは表示できない部分を探し、その部分を含む最小の四角形を特定する。次に特定した四角形の部分を画像に変換し、画像ファイルとして他のファイルと異なる名称を付与して記憶手段１００６に保存する。そして前記特定した四角形の部分と前記画像ファイル名との関連付けを行い、以後は前記［０００７］で示した操作を行い、数式などを含む文章もブログに投稿できる。【０００９】  次に本実施形態においてデータサーバーの障害によって転送しておいた画像、ならびに動画や音声などのファイルが破壊されてしまった場合のリカバリーを行う動作を以下説明する。
記憶手段１００６に保存してあるデジタルデータのファイル名はそのデジタルデータ送ったデータサーバーの名称をそのファイル名と関連付けして保存してあるので、前記デジタルデータを送ったデータサーバーを制御手段１００１は知ることができる。
そこで制御手段１００１は定期的にあるいは端末の利用者の指示により、端末１００からかつて前記デジタルデータを送ったことのあるデータサーバーに対してそこで保存しているデジタルデータのファイル名称の一覧を端末に転送することを要求し、端末側では制御手段１００１が記憶手段１００６に保存してあるデジタルデータのファイル名の一覧とデータサーバーから転送されたデジタルデータのファイル名一覧の突合せを行い、もしデータサーバーに送ったはずのファイル名がデータサーバー側のファイル名一覧に無かったならば、そのファイル名のデジタルデータは失われているので再度そのデジタルデータをデータサーバーに転送する。
【産業上の利用可能性】
【００１０】  今やブログは史上最強ともいえる個人の情報発信ツールとなっている。それだけでなく企業においては商品の販売等において、ブログは口コミとしての販売促進にも使われてきている。本発明はブログを文字や画像だけの文章でなく、その文章の一部と動画や音声、音楽などのマルチメディアファイルを容易に関連付けしてブログに登録できる。
そのためブログ閲覧者はその関連付けされた部分をクリックするなどで関連付けされた動画を表示させたり、音声や音楽などを演奏させることができるのでより印象に残るブログとなり、そのブログの閲覧者を増やすことができる。
【図面の簡単な説明】
【００１１】
【図１】  本発明における実施形態の構成を示すブロック図である。
【図２】  同実施形態における端末及びサーバーのインターネットへの接続方法を示すブロック図である。
【図３】  同実施形態における端末の構成を示すブロック図である。
【図４】  同実施形態における文書の特定の一部とファイルとの対応テーブルである。
【図５】  同実施形態における端末のグループとそれに割り当てられたサーバーの対応テーブルである。
【図６】  同実施形態におけるデーター転送先と転送したファイルとの対応テーブルである。
【図７】  同実施形態における文書の特定の一部とファイルとの関連の変換方法である。
【符号の説明】
【００１２】  １０，１１‥‥‥管理サーバー
２０，２１‥‥‥データサーバー
３０‥‥‥ブログサーバー
１００、１０１，２００‥‥‥端末
１００２‥‥‥入力手段
１００３‥‥‥出力手段
１００４‥‥‥クリップボード
１００５、１００６‥‥‥記憶手段
１００７‥‥‥ブラウザー
【図１】
2007328750.tif 000003
【図２】
2007328750.tif 000004
【図３】
2007328750.tif 000005
【図４】
2007328750.tif 000006
【図５】
2007328750.tif 000007
【図６】
2007328750.tif 000008
【図７】
2007328750.tif 000009